【手続補正書】
【提出日】平成15年7月23日(2003.7.23)
【手続補正１】
【補正対象書類名】特許請求の範囲
【補正対象項目名】全文
【補正方法】変更
【補正の内容】
【特許請求の範囲】
【請求項１】
皮膚の感染した領域への酸化窒素の局部的な給送のための装置であって、
酸化窒素ガスの発生源と、
同酸化窒素の発生源と流体連通している浴用ユニットであって、感染した皮膚の領域を包囲し且つ皮膚面との実質的に気密なシールを形成するようになされた、浴用ユニットと、
浴用ユニットに給送される酸化窒素の量を制御するために、酸化窒素の発生源の下流であって、浴用ユニットの上流に配置された流量制御弁と、
浴用ユニットからガスを抜き取るために、前記浴用ユニットと流体連通しており且つ浴用ユニットの下流に配置された真空ユニットと、を含む装置。
【請求項２】
請求項１に記載の装置であって、
酸化窒素ガスを希釈ガスと混合するために、前記流量制御弁の上流に配置されたガス混合器を更に含んでいる装置。
【請求項３】
請求項１に記載の装置であって、
ガス粒から酸化窒素を除去するために真空ユニットの上流に配置された吸収器ユニットを更に含んでいる装置。
【請求項４】
請求項３に記載の装置であって、
前記吸収器ユニットがまた、ガス粒から酸化窒素を除去する装置。
【請求項５】
請求項１に記載の装置であって、
前記浴用ユニットが更に、皮膚の表面との間に実質的に気密なシールを形成するための膨張可能なシールを更に含んでいる装置。
【請求項６】
請求項１に記載の装置であって、
前記浴用ユニットが膨張可能な材料によって作られている装置。
【請求項７】
請求項１に記載の装置であって、
前記浴用ユニットの内側に配置されたガス攪拌機を更に含んでいる装置。
【請求項８】
請求項１に記載の装置であって、
皮膚の感染した領域にガスを導くために、浴用ユニットの内側に配置されたガスノズルを更に含んでいる装置。
【請求項９】
請求項１に記載の装置であって、
酸化窒素の発生源が、酸化窒素を含んでいる加圧されたシリンダである装置。
【請求項１０】
請求項１に記載の装置であって、
流量制御弁と真空ユニットとの動作を制御するための制御装置を更に含んでいる装置。
【請求項１１】
請求項１に記載の装置であって、
浴用ユニット内に配置された酸化窒素センサを更に含んでいる装置。
【請求項１２】
請求項１に記載の装置であって、
浴用ユニット内に配置された二酸化窒素センサを更に含んでいる装置。
【請求項１３】
請求項１に記載の装置であって、
浴用ユニットが膨張可能なバッグを含んでいる装置。
【請求項１４】
請求項１に記載の装置であって、
浴用ユニットが、皮膚の感染した領域上に配置されたときに有効な量の酸化窒素を含んでいる装置。
【請求項１５】
請求項１に記載の装置であって、
浴用ユニットが１００ｐｐｍ未満の酸化窒素を含んでいる装置。
【請求項１６】
皮膚の感染した領域への酸化窒素の局部的な給送のための装置であって、
酸化窒素ガスの発生源と、
希釈ガスの発生源と、
酸化窒素ガスの発生源及び希釈ガスの発生源と流体連通しており且つ酸化窒素ガスの混合物を含んでいる出力を有しているガス混合器と、
ガス混合器の出力と流体連通している流量制御弁と、
流量制御弁と流体連通しており且つ入力及び出力を含んでおり、同入力は、前記流量制御弁の出力と流体連通しており、感染した皮膚の領域を包囲し且つ皮膚の表面との実質的に気密なシールを形成するようになされた浴用ユニットと、
同浴用ユニットの出力と流体連通している真空ユニットと、
同真空ユニットの上流であり、前記浴用ユニットの下流に配置された酸化窒素ガス吸収器ユニットと、
流量制御弁と真空ユニットとの動作を制御するための制御装置と、を含んでいる装置。
【請求項１７】
請求項１６に記載の装置であって、
前記吸収器ユニットがまた、ガスの流れから酸化窒素を取り出すようになされた装置。
【請求項１８】
請求項１６に記載の装置であって、
前記浴用ユニットが、皮膚面に対して実質的に気密なシールを形成するための膨張可能なシールを更に含んでいる装置。
【請求項１９】
請求項１６に記載の装置であって、
前記浴用ユニットが膨張可能な材料によって作られている装置。
【請求項２０】
請求項１６に記載の装置であって、
前記浴用ユニットの内側に配置されたガス攪拌機を更に含んでいる装置。
【請求項２１】
請求項１６に記載の装置であって、
皮膚の感染した領域へガスを導くために、前記浴用ユニットの内側に配置されたガスノズルを更に含んでいる装置。
【請求項２２】
請求項１６に記載の装置であって、
前記酸化窒素の発生源が、酸化窒素を含んでいる加圧されたシリンダである装置。
【請求項２３】
請求項１６に記載の装置であって、
前記浴用ユニット内に配置された酸化窒素センサを更に含んでいる装置。
【請求項２４】
請求項１６に記載の装置であって、
前記浴用ユニット内に配置された二酸化窒素を更に含んでいる装置。
【請求項２５】
請求項１６に記載の装置であって、
前記浴用ユニットが膨張可能なバッグを含んでいる装置。
【請求項２６】
請求項１６に記載の装置であって、
前記浴用ユニットが、皮膚の感染した領域上に配置されたときに、有効量の酸化窒素を含んでいる装置。
【請求項２７】
請求項２６に記載の装置であって、
前記浴用ユニットが１００ｐｐｍ未満の酸化窒素を含んでいる装置。
【請求項２８】
病原菌のレベルを低下させるために、皮膚の感染した領域に有効な量の酸化窒素を給送する方法であって、
皮膚の感染した領域の周囲に、皮膚に対して実質的に気密なシールを形成する浴用ユニットを提供するステップと、
酸化窒素によって皮膚の感染した領域につけるために、酸化窒素を含むガスを浴用ユニットに送るステップと、
浴用ユニットから、酸化窒素の少なくとも一部分を排出するステップと、を含む方法。
【請求項２９】
請求項２８に記載の装置であって、
前記浴用ユニットから排出されるガス内に含まれている酸化窒素の少なくとも一部分を取り出すステップを更に含む方法。
【請求項３０】
請求項２８に記載の方法であって、
前記浴用ユニット内へ及び同浴用ユニットからのガスの流速を制御するステップを更に含んでいる方法。
【請求項３１】
請求項２８に記載の方法であって、
前記浴用ユニット内のガスを攪拌するステップを更に含んでいる方法。
【請求項３２】
請求項２８に記載の方法であって、
皮膚の感染した領域飢えにガスの流れを導くステップを更に含んでいる方法。
【請求項３３】
皮膚の感染した領域に酸化窒素ガスを局部的に給送するための装置であって、
酸化窒素ガスの発生源と、
同酸化窒素ガスの発生源と流体連通している流量制御弁と、
前記流量制御弁の出力と流体連通しており且つ皮膚の感染した領域を包囲し且つ皮膚面に対して実質的に気密なシールを形成するようになされた浴用ユニットと、
同浴用ユニット内に含まれるガスの少なくとも一部分を除去するために、同浴用ユニットと流体連通している真空ユニットと、
前記流量制御弁及び真空ユニットの動作を制御するための制御装置と、を含む装置。  
【請求項３４】
請求項３３に記載の装置であって、
酸化窒素を希釈ガスと混合するために、流量制御弁の上流に配置されたガス混合器を更に含んでいる装置。
【請求項３５】
請求項３３に記載の装置であって、
ガスの流れから酸化窒素を取り出すために、真空ユニットの上流に配置された吸収器ユニットを更に含んでいる装置。
【請求項３６】
請求項３３に記載の装置であって、
前記吸収器ユニットはまた、ガスの流れから二酸化窒素をも取り出すようになされた装置。
【請求項３７】
請求項３３に記載の装置であって、
前記浴用ユニットが、皮膚表面との間に実質的に気密なシールを形成するための膨張可能なシールを更に含んでいる装置。
【請求項３８】
請求項３３に記載の装置であって、
前記浴用ユニットが膨張可能な材料によって作られている装置。
【請求項３９】
請求項３３に記載の装置であって、
前記浴用ユニットの内側に配置されたガス攪拌機を更に含んでいる装置。
【請求項４０】
請求項３３に記載の装置であって、
皮膚の感染した領域にガスを導くために、前記浴用ユニットの内側に配置されたガスノズルを更に含んでいる装置。
【請求項４１】
請求項３３に記載の装置であって、
前記酸化窒素の発生源が、酸化窒素を含んでいる加圧されたシリンダである装置。
【請求項４２】
請求項３３に記載の装置であって、
前記浴用ユニット内に配置された酸化窒素センサを更に含んでいる装置。
【請求項４３】
請求項３３に記載の装置であって、
前記浴用ユニット内に配置された二酸化窒素センサを更に含んでいる装置。
【請求項４４】
請求項３３に記載の装置であって、
前記浴用ユニットが膨張可能なバッグを含んでいる装置。
【請求項４５】
請求項３３に記載の装置であって、
前記浴用ユニットが、皮膚の感染した領域上に配置されたときに有効な量の酸化窒素を含んでいる装置。
【請求項４６】
酸化窒素に局部的にさらすことによって、感染した組織を治療する方法であって、
ガスを含む酸化窒素の発生源を準備するステップと、
感染した組織に酸化窒素を浴びせるために、酸化窒素を含んでいるガスを感染した組織を含む皮膚面に給送するステップと、を含む方法。
【請求項４７】
請求項４６に記載の方法であって、
前記酸化窒素が、感染した組織を包囲している浴用ユニットを使用して皮膚に給送される、方法。
【請求項４８】
請求項４６に記載の方法であって、
感染した組織に浴びせられる前記ガスを含んでいる酸化窒素内の酸化窒素の濃度が、約２００ｐｐｍ未満である、方法。
【請求項４９】
請求項４６に記載の方法であって、
酸化窒素を含むガスの新しい供給によって、感染した組織を回復させるステップを更に含む、方法。
【請求項５０】
請求項４６に記載の方法であって、
酸化窒素を含むガスの噴流が、感染した組織を含んでいる皮膚面の部分に給送される、方法。
【請求項５１】
請求項４６に記載の方法であって、
酸化窒素を含むガスの発生源が、酸化窒素ガスを含む加圧されたシリンダである、方法。
【請求項５２】
請求項４６に記載の方法であって、
感染した組織に浴びせられる酸化窒素の濃度を監視するステップを更に含んでいる、方法。
【請求項５３】
請求項４６に記載の方法であって、
感染した組織に浴びせられる二酸化窒素の濃度を監視するステップを更に含んでいる、方法。
【請求項５４】
請求項４６に記載の方法であって、
感染した組織を包囲する領域から酸化窒素を含むガスを排出するステップを更に含んでいる、方法。
【請求項５５】
請求項５４に記載の方法であって、
前記排出されたガスから酸化窒素を取り去るステップを更に含んでいる、方法。
【請求項５６】
請求項５４に記載の方法であって、
前記排出されたガスから二酸化窒素を取り去るステップを更に含んでいる、方法。
【請求項５７】
請求項４９に記載の方法であって、
前記回復させるステップが攪拌機を使用してなされる、方法。
【請求項５８】
感染した皮膚組織を治療する方法であって、
人間の感染した皮膚組織を特定するステップと、
流量を制御された酸化窒素ガスの発生源を準備するステップと、
前記感染した皮膚組織の少なくとも一部分に酸化窒素ガスを給送するステップと、を含む方法。
【請求項５９】
請求項５８に記載の方法であって、
大気内の空気との接触を防止するために、酸化窒素ガスをシールするステップを更に含む、方法。
【請求項６０】
請求項５８に記載の方法であって、
前記酸化窒素ガスを不活性ガスによって希釈するステップを更に含む、方法。
【請求項６１】
請求項５８に記載の方法であって、
酸化窒素ガスの流量制御された発生源が、酸化窒素ガスを含んでいる加圧されたシリンダから流れる、方法。
【請求項６２】
請求項６１に記載の方法であって、
酸化窒素を感染した皮膚組織に給送する前に、酸化窒素ガスの圧力を低下させるステップを更に含んでいる、方法。
【請求項６３】
請求項５８に記載の方法であって、
感染した皮膚組織に給送される酸化窒素ガスの流速にほぼ等しい流速で、酸化窒素を排出することを更に含む、方法。
【請求項６４】
酸化窒素ガスへの局部的な露呈によって、感染した皮膚組織を治療する方法であって、
酸化窒素ガスの発生源を準備するステップと、
酸化窒素ガスを不活性ガスによって希釈するステップと、
前記希釈された酸化窒素ガスを、前記感染した皮膚組織の少なくとも一部分に給送するステップと、を含む方法。
【請求項６５】
請求項６４に記載の方法であって、
前記酸化窒素ガスを希釈するステップが、ガス混合器によって行われる、方法。
【請求項６６】
請求項６４に記載の方法であって、
皮膚に給送される酸化窒素ガスが流量制御される、方法。
【請求項６７】
請求項６４に記載の方法であって、
前記酸化窒素ガスを希釈するステップが、感染した皮膚組織を覆う気密にシールされた領域に、不活性ガスを給送するステップを更に含んでいる、方法。
【請求項６８】
請求項６４に記載の方法であって、
給送されつつある酸化窒素の濃度を監視するステップを更に含んでいる、方法。